(57)【特許請求の範囲】
【請求項１】
ボビンと、高圧側コイルと、低圧側コイルと、コアとを含む電源トランスであって、
前記ボビンは、筒状をなす巻胴部と、該巻胴部に間隔を有して形成された２つの鍔部とを備え、
前記巻胴部の２つの鍔部の間における、巻線の引き出し部とその反対側以外の両側部分に巻線分離片を設け、
前記２つの鍔部の各巻線引き出し部側の内面にそれぞれ相手側鍔部に向けて突出した巻線の係止突起を設け、
前記高圧側コイルは、そのコイルとなる線材の中間部を前記引き出し部の反対側の巻線分離片の欠除部に通して前記巻胴部に渦巻き状に前記巻線分離片により２層に分離して巻回することにより、２層の平面コイルを構成し、各平面コイルのコイル端末をそれぞれ前記係止突起に係止させて外れ止めし、
前記低圧側コイルは、概略Ｕ字状に形成された金属平板でなり、かつ前記２つの鍔部のうちの少なくとも一方の鍔部の外側に配置し、
前記コアは、主磁脚と、側磁脚と、前記主磁脚と前記側磁脚との間を連絡する橋絡部とを有する分割形コアでなり、
前記コアは前記主磁脚が前記巻胴部に挿入され、前記側磁脚を前記鍔部の外周側に配置されて、前記橋絡部と前記側磁脚が前記高圧側コイルと低圧側コイルの少なくとも一部を囲むように配置されている
ことを特徴とする電源トランス。
【請求項２】
請求項１に記載された電源トランスにおいて、
前記低圧側コイルは、前記巻胴部の両端に形成された鍔部の外側にそれぞれ配置されている
ことを特徴とする電源トランス。
【請求項３】
請求項１または２に記載された電源トランスにおいて、
さらに絶縁ケースを備え、
前記絶縁ケースは第１のケースと第２のケースを含み、
前記第１のケースと第２のケースとはそれぞれコアの主磁脚を挿通する磁脚挿通孔を設けた板状部と、該板状部の外辺部からほぼ垂直に延出して形成された側壁部とを有し、
前記第１のケースと第２のケースの各側壁部は、コイルの径方向に重なり合う構造を有すると共に、巻線引き出し用の切り欠き部を有し、
前記絶縁ケースを、前記高圧側コイルを巻回したボビンに被せて該高圧側コイルの端末を前記切り欠き部より引き出し、
前記絶縁ケースの第１のケースと第２のケースの少なくとも一方の板状部の外側に前記Ｕ字状の低圧側コイルを配置し、
前記コアは、その主磁脚が前記巻胴部と前記低圧側コイルと前記絶縁ケースの磁脚挿通孔に挿入され、前記コアの側磁脚が前記絶縁ケースの側壁部の外側に配置されている
ことを特徴とする電源トランス。
【請求項４】
請求項１から３までのいずれかに記載された電源トランスにおいて、
前記低圧側コイルの外周は円形に形成され、該外周の一端側に突出して設けた一対のコイル端末を有すると共に、他端側に突出して設けた係止片を有し、
前記ボビンに被せる絶縁ケースを備え、該絶縁ケースはボビンの鍔部に重ねる板状部に磁脚挿通孔を有し、
前記絶縁ケースはボビンの反対側の面である外面を低圧側コイルの取付け面とし、かつ該取付け面の周囲に前記低圧側コイルを嵌め込む嵌合壁を有し、
前記絶縁ケースの嵌合壁の前記低圧側コイルのコイル端末取付け側と、その反対側とを切り欠き、これらの切り欠き部にそれぞれ径方向に延出する延出部を設けて各延出部にそれぞれ前記低圧側コイルの第１、第２の係止部を設け、
前記低圧側コイルを前記嵌合壁に嵌め込み、かつ低圧側コイルのコイル端末および前記係止片をそれぞれ前記第１の係止部と第２の係止部に係止させて低圧側コイルの絶縁ケースからの浮き上がりを防止した
ことを特徴とする電源トランス。
【発明の詳細な説明】
【０００１】
【発明の属する技術分野】
本発明は、スイッチング電源等に用いられる電源トランスに係わり、特に、設置スペースが限られており、高電圧から低電圧まで用いる電気自動車電装用コンバータ等のスイッチング電源として用いる場合に好適なものに関する。
【０００２】
【従来の技術】
薄型のトランスを実現するため、渦巻き状に巻回した高圧側コイルと、金属平板からなる低圧側コイルとにより構成したものが知られている。これらのトランスに用いられる高圧側コイルは、例えば特開平８−９７０５４号公報に開示され、かつ図９（Ａ）の断面図に示すように、渦巻き状に巻回した平面コイル５０の内周側コイル端末５１が、平面コイル５０上に配置される。５２は平面コイル５０の外周側コイル端末である。
【０００３】
【発明が解決しようとする課題】
上述した従来のコイル構造においては、内周側のコイル端末５１が平面コイル５０の上に重ねて配置されるため、高さ寸法ｈ１が高くなり、占積率が悪くなるという問題点がある。この問題は、巻数比が大きいトランスで、図９（Ｂ）に示すように、平面コイル５０を積層して用いる場合に、厚みｈ２が大となるのでより大きな問題となる。また、電力容量が大きいトランスで、太い線材を用いる場合により大きな問題となる。
【０００４】
本発明は、このような従来技術の問題点に鑑み、渦巻き状のコイルを用いる電源トランスにおいて、コイルの占積率が向上し、高さ寸法が押さえられる構成のものを提供することを目的とする。
【０００５】
【課題を解決するための手段】
請求項１の電源トランスは、ボビンと、高圧側コイルと、低圧側コイルと、コアとを含む電源トランスであって、
前記ボビンは、筒状をなす巻胴部と、該巻胴部に間隔を有して形成された２つの鍔部とを備え、
前記巻胴部の２つの鍔部の間における、巻線の引き出し部とその反対側以外の両側部分に巻線分離片を設け、
前記２つの鍔部の各巻線引き出し部側の内面にそれぞれ相手側鍔部に向けて突出した巻線の係止突起を設け、
前記高圧側コイルは、そのコイルとなる線材の中間部を前記引き出し部の反対側の巻線分離片の欠除部に通して前記巻胴部に渦巻き状に前記巻線分離片により２層に分離して巻回することにより、２層の平面コイルを構成し、各平面コイルのコイル端末をそれぞれ前記係止突起に係止させて外れ止めし、
前記低圧側コイルは、概略Ｕ字状に形成された金属平板でなり、かつ前記２つの鍔部のうちの少なくとも一方の鍔部の外側に配置し、
前記コアは、主磁脚と、側磁脚と、前記主磁脚と前記側磁脚との間を連絡する橋絡部とを有する分割形コアでなり、
前記コアは前記主磁脚が前記巻胴部に挿入され、前記側磁脚を前記鍔部の外周側に配置されて、前記橋絡部と前記側磁脚が前記高圧側コイルと低圧側コイルの少なくとも一部を囲むように配置されている
ことを特徴とする。
【０００６】
このような高圧側コイルの構成にすると、２層構造の平面コイルの外周からコイル端末が引き出される。このため、コイル端末が平面コイル上に配置されることが無いため、占積率が向上し、高さ寸法が高くなることが防止される。
【０００７】
また、高圧側コイルは、巻数が多く、低圧側コイルと比べて電流値が小さい。従って、二重構造の渦巻き状平面コイルは、巻数、電流容量の両面で薄型化に適している。また、低圧側コイルは電流値は大きいが、Ｕ字状の形成された金属平板を用い、１ターンで構成され、薄型に構成できる。これらのことから、電源トランスが薄型化される。
【０００８】
また、巻線分離片を介して平面コイルを重ねると、巻線の巻き崩れを防止することができる。また、平面コイル（高圧側コイル）のコイル端末が係止突起に係止されて引き出されるので、高圧側コイルのターン数が正確に設定できる。
【０００９】
請求項２の電源トランスは、請求項１に記載された電源トランスにおいて、
前記低圧側コイルは、前記巻胴部の両端に形成された鍔部の外側にそれぞれ配置されている
ことを特徴とする。
【００１０】
このように、低圧側コイルを、高圧側コイルが巻かれたボビンの両鍔部の外側に配置することにより、高圧側コイルと低圧側コイルの結合度を高めることができ、特性の優れたトランスを得ることができる。また、ボビンの両側に低圧側コイルを設けたため、低圧側コイルの接続を種々選択することができるので、種々の方式のコンバータトランスに応用することが可能である。
【００１１】
請求項３の電源トランスは、請求項１または２に記載の電源トランスにおいて、さらに絶縁ケースを備え、
前記絶縁ケースは第１のケースと第２のケースを含み、
前記第１のケースと第２のケースとはそれぞれコアの主磁脚を挿通する磁脚挿通孔を設けた板状部と、該板状部の外辺部からほぼ垂直に延出して形成された側壁部とを有し、
前記第１のケースと第２のケースの各側壁部は、コイルの径方向に重なり合う構造を有すると共に、巻線引き出し用の切り欠き部を有し、
前記絶縁ケースを、前記高圧側コイルを巻回したボビンに被せて該高圧側コイルの端末を前記切り欠き部より引き出し、
前記絶縁ケースの第１のケースと第２のケースの少なくとも一方の板状部の外側に前記Ｕ字状の低圧側コイルを配置し、
前記コアは、その主磁脚が前記巻胴部と前記低圧側コイルと前記絶縁ケースの磁脚挿通孔に挿入され、前記コアの側磁脚が前記絶縁ケースの側壁部の外側に配置されている
ことを特徴とする。
【００１２】
このように構成すると、コアの側磁脚および低圧側コイルの外周側と高圧側コイル間の沿面距離は、絶縁ケースの第１のケース、第２のケースの側壁部の重なり部によって長くなる。また、コアの橋絡部あるいは低圧側コイルの内周側と高圧側コイル間の沿面距離は、絶縁ケースの板状部とボビンの鍔部の重なり部によって長くなる。従って、これらの間の絶縁が確実に行える。
【００１３】
請求項４の電源トランスは、請求項１から３までのいずれかに記載された電源トランスにおいて、
前記低圧側コイルの外周は円形に形成され、該外周の一端側に突出して設けた一対のコイル端末を有すると共に、他端側に突出して設けた係止片を有し、
前記ボビンに被せる絶縁ケースを備え、該絶縁ケースはボビンの鍔部に重ねる板状部に磁脚挿通孔を有し、
前記絶縁ケースはボビンの反対側の面である外面を低圧側コイルの取付け面とし、かつ該取付け面の周囲に前記低圧側コイルを嵌め込む嵌合壁を有し、
前記絶縁ケースの嵌合壁の前記低圧側コイルのコイル端末取付け側と、その反対側とを切り欠き、これらの切り欠き部にそれぞれ径方向に延出する延出部を設けて各延出部にそれぞれ前記低圧側コイルの第１、第２の係止部を設け、
前記低圧側コイルを前記嵌合壁に嵌め込み、かつ低圧側コイルのコイル端末および前記係止片をそれぞれ前記第１の係止部と第２の係止部に係止させて低圧側コイルの絶縁ケースからの浮き上がりを防止した
ことを特徴とする。
【００１４】
このように、低圧側コイルを係止部によって浮きを防止する構造によって絶縁ケースに固定することにより、低圧側コイルとコアとの間に間隔が確保され、絶縁材を要することなく絶縁することができる。
【００１５】
【発明の実施の形態】
図１は本発明による電源トランスの一実施の形態を示す分解斜視図、図２（Ａ）はその断面図、図４（Ａ）は高圧側コイル部の側面図、図４（Ｂ）〜（Ｄ）は該高圧側コイルの巻線工程図である。
【００１６】
図１、図２（Ａ）において、１は低圧側コイル、２は高圧側コイル、３は高圧側コイル２を巻回したボビン、４、５はコア、６はコア４と低圧側コイル１との間に介在させる絶縁板である。
【００１７】
図４（Ａ）に示すように、ボビン３は筒状の巻胴部３ａには間隔をもって２つの鍔部３ｂを形成する。高圧側コイル２はボビン３の巻胴部３ａに渦巻き状に巻回された２層の平面コイル２ａ、２ｂからなり、これらの平面コイル２ａ、２ｂは内周側で連続して軸方向に積み重ねられた構造を有する。平面コイル２ａ、２ｂの引き出し用コイル端末２ｃ、２ｄは、平面コイル２ａ、２ｂの外周側から引き出される。
【００１８】
この高圧側コイル２は、図４（Ｂ）〜（Ｄ）に示すように、ボビン３の巻胴部３ａに１本の線材２を巻き、矢印Ｒで示すように同時に巻胴部３ａに線材２を巻く。この巻き工程で同時に２層の平面コイル２ａ、２ｂが形成されると同時に、これらの平面コイル２ａ、２ｂが積み重ねられる。
【００１９】
前記低圧側コイル１は、概略Ｕ字状に形成された金属平板でなり、図２（Ａ）に示すように、前記鍔部３ｂの外側に配置される。
【００２０】
本例のコア４、５はＥ型コアであり、それぞれ主磁脚４ａ、５ａと、側磁脚４ｂ、５ｂと、前記主磁脚４ａ、５ａと前記側磁脚４ｂ、５ｂとの間を連絡する橋絡部４ｃ、５ｃとを有する。これらのコア４、５は前記主磁脚４ａ、５ａを筒状の巻胴部３ａ内に挿入し、側磁脚４ｂ、５ｂを前記鍔部３ｂの外周側に配置し、橋絡部４ｃ、５ｃと側磁脚４ｂ、５ｂが高圧側コイル２と低圧側コイル１の少なくとも一部を囲むように配置して閉磁路を構成する。
【００２１】
この構成によれば、高圧側コイル２は、それぞれ渦巻き状に巻かれた２層の平面コイル２ａ、２ｂの厚みそのものとなり、従来のように引き出し部のために平面コイルのトータルの厚みが倍増することはなく、占積率が向上し、２層の平面コイルを積み重ねても厚みが増大することが防止される。また、低圧側コイル１は電流値は大きいが、Ｕ字状に形成された金属平板を用い、１ターンで構成されるので、これらの高圧側コイル２と低圧側コイル１の組み合わせにより、薄型の電源トランスが構成できる。
【００２２】
図２（Ｂ）は本発明による電源トランスの他の実施の形態を示す断面図であり、低圧側コイル１を、ボビン３の巻胴部３ａの両端に形成された鍔部３ｂの外側にそれぞれ配置したものである。
【００２３】
このように構成することにより、高圧側コイル２と低圧側コイル１の結合度を高めることができ、特性の優れたトランスを得ることができる。また、ボビン３の両側に低圧側コイル１を設けたため、低圧側コイル１の接続を種々選択することができるので、種々の方式のコンバータトランスに応用することが可能である。
【００２４】
図３（Ａ）は本発明を実施する場合に好適なボビンの一例を、高圧側コイル２の引き出し側から見た図、図３（Ｂ）はその平面図、図３（Ｃ）は図３（Ａ）の反対側から見た図、図３（Ｄ）はその側面図である。このボビン３Ａは、２つの鍔部３ｂ、３ｂの間に、筒状をなす巻胴部３ａの外周より外側に突出した巻線分離片３ｃを、巻線の引き出し部とその反対側以外の両側部分に設けたものである。図４（Ｂ）〜（Ｄ）に示したように、高圧側コイル２の線材を巻胴部３ａに巻く場合は、線材の中間部を巻線引き出し部の反対側の巻線分離片３ｃの欠除部に通し、その欠除部を通した部分の一方と他方がそれぞれ巻線分離片３ｃを挟んで重なるように渦巻き状に巻く。このように、巻線分離片３ｃを設け、巻線分離片３ｃを介して平面コイル２ａ、２ｂを重ねると、巻線の巻き崩れを防止することができる。
【００２５】
３ｄはコイル端末２ｃ、２ｄの外れを防止するためにコイル端末２ｃ、２ｄの引き出し部側の鍔部３ｂの内面に設けた係止突起である。
【００２６】
このように、平面コイル２ａ、２ｂ（高圧側コイル２）のコイル端末２ｃ、２ｄが係止突起３ｄ、３ｄに係止されて引き出される構成とすることにより、高圧側コイル２のターン数が正確に設定できる。
【００２７】
図５は本発明による電源トランスの他の実施の形態を示す分解斜視図、図６（Ａ）はその断面図、図６（Ｂ）は図６（Ａ）の部分拡大図、図７（Ａ）は図６（Ａ）のＥ−Ｅ断面図、図７（Ｂ）、（Ｃ）は低圧側コイルの絶縁ケースへの取付け作業を示す平面図である。本実施の形態は、第１のケース７と第２のケース８からなる絶縁ケース９を備える。
【００２８】
前記第１のケース７と第２のケース８とはそれぞれコア４、５の主磁脚４ａ、５ａを挿通する磁脚挿通孔７ａ、８ａを設けた板状部７ｂ、８ｂと、該板状部７ｂ、８ｂの外辺部からほぼ垂直に延出して形成された側壁部７ｃ、８ｃとを有する。また、これら第１のケース７と第２のケース８の各側壁部７ｃ、８ｃは、コイル２の径方向に互いに重なり合う筒状構造を有すると共に、巻線引き出し用の切り欠き部７ｄ、８ｄを有する。
【００２９】
この絶縁ケースを有するトランスは、前記高圧側コイル２を巻回したボビン３Ａに第１のケース７と第２のケース８を被せてその端末を前記切り欠き部７ｄ、８ｄより引き出す。また、第１のケース７と第２のケース８の板状部７ｂ、８ｂの外側に前記Ｕ字状の低圧側コイル１を配置する。本例は低圧側コイル１を絶縁ケースの両側に配置した例を示すが、片方のみの低圧側コイル１を設けても良い。
【００３０】
前記コア４、５は、前記主磁脚４ａ、５ａが前記巻胴部３ａ内と前記低圧側コイル１と第１のケース７、第２のケース８の磁脚挿通孔７ａ、８ａに挿入され、側磁脚４ｂ、５ｂが側壁部７ｃ、８ｃの外側に配置されている。
【００３１】
このように構成すると、コア４、５の側磁脚４ｂ、５ｂおよび低圧側コイル１の外周側と高圧側コイル２間の沿面距離は、図６（Ｂ）に点線１０で示すように、絶縁ケース９の第１のケース７、第２のケース８の側壁部７ｃ、８ｃの重なり部によって長く形成される。また、コア４、５の橋絡部４ｃ、５ｃあるいは低圧側コイル１の内周側と高圧側コイル２間の沿面距離は、点線１１で示すように、第１のケース７、第２のケース８の板状部７ｂ、８ｂとボビン３Ａの鍔部３ｂの重なり部によって長く形成される。従って、これらの間の絶縁が確実に行える。
【００３２】
また、本発明を実施する場合、低圧側コイル１は第１のケース７や第２のケース８の板状部７ｂ、８ｂに対して接着してもよいが、本実施の形態においては、係止構造を用いて第１のケース７、８から低圧側コイル１が浮き上がることを防止している。
【００３３】
すなわち図５、図７（Ｂ）、（Ｃ）に示すように、前記低圧側コイル１の外周は円形に形成されてその一端側に一対のコイル端末１ａ、１ｂを突出させて設けると共に、他端側にほぼ径方向に突出した係止片１ｃを設ける。
【００３４】
一方、板状部７ｂ、８ｂのボビン３Ａの反対側の面である外面を低圧側コイル１の取付け面とし、該取付け面の周囲には、前記低圧側コイル１を嵌め込む嵌合壁７ｅ、８ｅを設ける。また、ケース７、８の嵌合壁７ｅ、８ｅの前記低圧側コイル１のコイル端末１ａ、１ｂの取付け側と、その反対側とを切り欠き、これらの切り欠き部にそれぞれ径方向に延出する延出部７ｆ、７ｇおよび８ｆ、８ｇを設け、一方の延出部７ｆ、８ｆに第１の係止部７ｈ、８ｈを設け、他方の延出部７ｇ、８ｇにそれぞれ第２の係止部７ｉ、８ｉを設ける。
【００３５】
前記低圧側コイル１のケース７、８への取付けは、図７（Ｂ）にケース７で代表して示すように、低圧側コイル１の係止片１ｃをケース７、８の第２の係止部７ｉ、８ｉに矢印１２に示すように挿入して低圧側コイル１のリング部を前記嵌合壁７ｅ、８ｅに嵌め込み、その後矢印１３に示すように回動させ、図７（Ｃ）に示すように、低圧側コイル１のコイル端末１ｂを前記第１の係止部７ｈ、８ｈに潜り込ませることにより、低圧側コイル１のケース７、８からの浮き上がりを防止する。これらのケース７、８に、テープや接着剤（図示せず）を用いてコイル１を固定する。
【００３６】
なお、本実施の形態においては、前記低圧側コイル１の一方のコイル端末１ａは図７（Ａ）に示すように、同一形状の低圧側コイル１を反転させて重ね合わせてねじ１４やナット１５によって結合することができるように、図７（Ｂ）に示すように、低圧側コイルの中心から径方向に外側に延びる構造に形成し、かつ途中部分に段部１ｄを設け、先端に接続用孔１ｅを設けている。
【００３７】
このように、低圧側コイル１を係止部７ｈ、８ｈおよび７ｉ、８ｉによって浮きを防止する構造によって絶縁ケースに固定することにより、図６（Ｂ）に示すように、低圧側コイル１とコア４、５との間に間隔ｇが確保され、特別の絶縁材を用いることなく絶縁することができ、部品点数が低減される。また、本実施の形態によれば、２枚の低圧側コイル１に同一形状のものを用いることができるので、低圧側コイル１として１種のもののみを用いることができ、部品点数が低減される。
【００３８】
図８は本発明を適用するコンバータの回路の例を示す回路図である。本発明のトランスは、高圧側コイルへの２００Ｖ〜４００Ｖの入力を、１２Ｖの電圧に変換する電気自動車の電装部品のコンバータトランスとして好適である。図８（Ａ）、（Ｂ）においては、高圧側コイル２を入力側コイルに、低圧側コイル１を出力側コイルに用いることにより図１、図２（Ａ）に示した構成のものを適用することができる。また、図２（Ｂ）や図５ないし図７に示した実施の形態のトランスのように、低圧側コイル１を２個有する場合であっても、２個の低圧側コイル１を並列に接続することによって、図８（Ａ）、（Ｂ）の構成のトランスに適用可能である。
【００３９】
図８（Ｃ）〜（Ｅ）に示すように、低圧側コイル１に分割コイルを用いる場合、図２（Ｂ）または図５ないし図７に示した２個の低圧側コイル２を有する構成を適用することができる。なお、図８（Ｃ）のように、高圧側コイル２が分割コイルである場合、１つのボビンに２つの高圧側コイル２を２個実装するか、あるいは２層の平面コイルを有するボビン３を２個用いることにより実現可能である。
【００４０】
本発明は、コアがＥ−Ｅ型である場合でなく、Ｅ−Ｉ、Ｕ−Ｕ、Ｕ−Ｉ型である場合にも適用できる。
【００４１】
【発明の効果】
請求項１によれば、２層構造の平面コイルの外周からコイル端末が引き出され、コイル端末が平面コイル上に配置されることが無いため、占積率が向上し、高さ寸法が高くなることが防止される。また、低圧側コイルにＵ字状の金属平板を用い、１ターンで構成され、薄型に構成できるので、これを高圧側コイルと組み合わせることによって薄型の電源トランスが構成される。
【００４２】
また、ボビンの巻胴部に巻線分離片を設け、該巻線分離片を介して平面コイルを重ねる構造としたので、巻線の巻き崩れを防止することができる。また、平面コイル（高圧側コイル）のコイル端末が係止突起に係止されて引き出されるので、高圧側コイルのターン数が正確に設定できる。
【００４３】
請求項２によれば、さらに、低圧側コイルを、高圧側コイルが巻かれたボビンの両鍔部の外側に配置したので、高圧側コイルと低圧側コイルの結合度を高めることができ、特性の優れたトランスを得ることができる。また、ボビンの両側に低圧側コイルを設けたため、低圧側コイルの接続を種々選択することができるので、種々の方式のコンバータトランスに応用することが可能である。
【００４４】
請求項３によれば、さらに、コアおよび低圧側コイルと高圧側コイル間の沿面距離が長くなり、これらの間の絶縁が確実に行える。
【００４５】
請求項４によれば、低圧側コイルを係止部によって浮きを防止する構造によって絶縁ケースに固定することにより、低圧側コイルとコアとの間に間隔が確保され、他の部材を用いることなく、容易に絶縁される。
【図面の簡単な説明】
【図１】本発明による電源トランスの一実施の形態を示す分解斜視図である。
【図２】（Ａ）は図１の電源トランスの断面図、（Ｂ）は本発明の他の実施の形態を示す断面図である。
【図３】（Ａ）は本発明を実施する場合に好適なボビンの一例を、高圧側コイルの引き出し側から見た図、（Ｂ）はその平面図、（Ｃ）は（Ａ）の反対側から見た図、（Ｄ）はその側面図である。
【図４】（Ａ）は図１、図２の実施の形態の高圧側コイルの側面図、（Ｂ）〜（Ｄ）はその巻線工程図である。
【図５】本発明による電源トランスの他の実施の形態を示す分解斜視図である。
【図６】（Ａ）は図５の電源トランスの断面図、（Ｂ）はその部分拡大断面図である。
【図７】（Ａ）は図６（Ａ）のＥ-Ｅ断面図、（Ｂ）、（Ｃ）は絶縁ケースへの低圧側コイルの取付け作業を示す平面図である。
【図８】（Ａ）〜（Ｅ）は本発明が適用可能なトランスの回路図である。
【図９】（Ａ）、（Ｂ）は従来の渦巻き状コイルを示す断面図である。
【符号の説明】
１：低圧側コイル、１ａ、１ｂ：コイル端末、１ｃ：係止片、１ｄ：段部、１ｅ：接続用孔、２：高圧側コイル、２ａ、２ｂ：平面コイル、２ｃ、２ｄ：コイル端末、３、３Ａ：ボビン、３ａ：巻胴部、３ｂ：鍔部、３ｃ：巻線分離片、３ｄ：係止突起、３ｅ：コイル端末の当接面、３ｆ：傾斜面、４、５：コア、４ａ、５ａ：主磁脚、４ｂ、５ｂ：側磁脚、４ｃ、５ｃ：橋絡部、６：絶縁板、７：第１のケース、８：第２のケース、７ａ、８ａ：磁脚挿通孔、７ｂ、８ｂ：板状部、７ｃ、８ｃ：側壁部、７ｄ、８ｄ：切り欠き部、７ｅ、８ｅ：嵌合壁、７ｆ、７ｇ、８ｆ、８ｇ：延出部、７ｈ、８ｈ：第１の係止部、７ｉ、８ｉ：第２の係止部、９；絶縁ケース、１０、１１：沿面距離
【図１】
0003755729.tif 000002
【図２】
0003755729.tif 000003
【図３】
0003755729.tif 000004
【図４】
0003755729.tif 000005
【図５】
0003755729.tif 000006
【図６】
0003755729.tif 000007
【図７】
0003755729.tif 000008
【図８】
0003755729.tif 000009
【図９】
0003755729.tif 000010